(57)【要約】【課題】構造を知らなくとも２次回路開放防止の機能を使うことができるとともに、初めから変流器にその装置を組み込んでおくことで装置を活用するための手間を省くことができる変流器の保護装置を得る。【解決手段】変流器１の２次側回路開放防止機能を備えた変流器の保護装置であって、変流器の２次側端子ケーブル取り付け部分９ａ、９ｂを開閉自在に覆うように設けられた扉１０ａ、１０ｂと、扉の開閉動作に連動して変流器の２次側回路に設けられたスイッチ４〜７を開閉することで、２次側ケーブル１４が２次側ケーブル取り付け部分に取り付けられていないときには変流器の２次側回路を自動的に閉路する２次側回路開放防止手段１２とを備える。【選択図】図５
2008306783.tif 000002
【特許請求の範囲】
【請求項１】
変流器の２次側回路開放防止機能を備えた変流器の保護装置であって、
前記変流器の２次側端子ケーブル取り付け部を開閉自在に覆うように設けられた扉と、
前記扉の開閉動作に連動して前記変流器の２次側回路に設けられたスイッチを開閉することで、２次側ケーブルが前記２次側ケーブル取り付け部に取り付けられていないときには前記変流器の２次側回路を自動的に閉路する２次側回路開放防止手段と、
を備えたことを特徴とする変流器の保護装置。
【請求項２】
変流器の２次側回路を自動的に閉路する２次側回路開放防止手段はバネからなり、前記バネの力に抗して扉を開いて２次側ケーブル取り付け部に２次ケーブルを固定すると、変流器の２次側回路に設けられたスイッチを開き、前記変流器の２次側回路を自動的に開放することを特徴とする請求項１記載の変流器の保護装置。
【発明の詳細な説明】
【技術分野】
【０００１】
この発明は、変流器の２次側回路開放防止機能を備えた変流器の保護装置に関するものである。
【背景技術】
【０００２】
従来の変流器の２次側回路開放防止装置においては、主回路変流器の２次電流は、筐体に取り付けられた端子台の端子に入力される。前記端子は、コネクタを介して、基板に搭載された補助変流器の１次巻線に接続されている。また、前記コネクタは、電気絶縁性の基材からは、大略的にＪ字状で一対の接触片が立設されている。この接触片の基端部は、ビスによってそれぞれ前記端子と接続されている。また、前記基材の中央部からは、絶縁壁が立設されている。これに対応して、端子台では、電気絶縁性の基材に端子が立設されており、この一対の端子はそれぞれ連結片に接続されている。連結片には、それぞれ前記接触片に対応するＵ字状の接触片と、接栓部材である短絡片とが、リベットによって締結されている。また、前記基材の中央部には、前記絶縁壁に対向する絶縁壁が立設されている。コネクタが端子台に嵌着されている状態では、前記接触片はそれぞれ接触片と接触し、これによって端子と端子とが導通している。またこのとき、短絡片は、絶縁壁によって離反（開路）されている。これに対して、端子台からコネクタが引き抜かれてゆくと、まず絶縁壁が短絡片間から離脱し、これによって短絡片が接触し、端子間及び端子間が導通する。さらにコネクタが引き抜かれ、完全に離脱すると、接触片はそれぞれ接触片と離反する。このようにして、コネクタの取り外し時において、接触片がそれぞれ接触片から離反して、端子間、すなわち主回路変流器の２次側が開放状態となる以前に、短絡片が短絡して、火花の発生が抑えられている（例えば、特許文献１参照）。
【０００３】
【特許文献１】特開平７−２７７６９８号公報（第５頁、第４図）
【発明の開示】
【発明が解決しようとする課題】
【０００４】
従来の変流器の２次回路開放防止装置では、変流器の２次側端子台に専用のコネクタを取り付けた際に、コネクタの絶縁壁により回路の一部である短絡片が開路（離反）される構造となっている。また、２次側ケーブルはコネクタにボルトによって固定される構造である。このために指定のコネクタを用いることが必要であり、その構造を知悉していることが装置を活用するための必要な条件であった。
【０００５】
この発明は上記のような課題を解決するためになされたものであり、その構造を知らなくとも２次回路開放防止の機能を使うことができるとともに、初めから変流器にその装置を組み込んでおくことで装置を活用するための手間を省くことができる変流器の保護装置を得ることを目的とする。
【課題を解決するための手段】
【０００６】
この発明に係る変流器の保護装置においては、変流器の２次側回路開放防止機能を備えた変流器の保護装置であって、変流器の２次側端子ケーブル取り付け部を開閉自在に覆うように設けられた扉と、扉の開閉動作に連動して変流器の２次側回路に設けられたスイッチを開閉することで、２次側ケーブルが２次側ケーブル取り付け部に取り付けられていないときには変流器の２次側回路を自動的に閉路する２次側回路開放防止手段とを備えたものである。
【発明の効果】
【０００７】
この発明によれば、構造を知らなくとも２次回路開放防止の機能を使うことができるとともに、初めから変流器にその装置を組み込んでおくことで装置を活用するための手間を省くことができるという効果がある。
【発明を実施するための最良の形態】
【０００８】
実施の形態１．
以下、図面を参照しながら、この発明の実施の形態１について詳細に説明する。図１はこの発明の実施の形態１における変流器の構造を示す概略構成図、図２はこの発明の実施の形態１における変流器の内部回路を示す回路構成図、図３は図１における２次側端子部を矢視Ａ方向から見た構成図、図４は図１における２次側端子部を横断面にして矢視Ｂ方向より見た断面図、図５は外部端子に２次ケーブルが取り付けられた状態を示す図４相当図である。
【０００９】
図において、１は変流器、２、３は変流器１の外周壁に設けられた２次側外部端子、４〜７は２次側外部端子２、３内にそれぞれ設けられたスイッチ、８は２次ケーブル１４を２次側外部端子２、３に固定するための２次側ケーブル固定ボルト、９ａ、９ｂは２次側外部端子２、３に設けられた２次側ケーブル取り付け部、１０ａ、１０ｂは２次側外部端子２、３の２次側ケーブル取り付け部９ａ、９ｂを開閉自在に覆うように設けられた扉で、回転支点１３により回転可能に支持されている。１１は扉１０ａ、１０ｂの一端部背面とスイッチ４〜７との間に設けられた絶縁体で、扉１０ａ、１０ｂの一端部背面に固定されている。１２は扉１０ａ、１０ｂの一端部正面と変流器１本体との間に設けられたバネで、通常時、上記扉１０ａ、１０ｂはバネ１２の力により閉じている。１４は扉１０ａ、１０ｂを開いた状態で２次側外部端子２、３の２次側ケーブル固定ボルト８に取り付けられた２次側ケーブルである。
すなわち、２次側端子のケーブル取り付け部９ａ、９ｂには、扉１０ａ、１０ｂが設けられており、この扉１０ａ、１０ｂはバネ１２及び回転支点１３によって変流器１本体に固定されている。そして、通常時、扉１０ａ、１０ｂはバネ１２の力で閉じている。また、扉１０ａ、１０ｂには絶縁体１１が固定されている。また、変流器１の２次側回路はスイッチ４及びスイッチ５、又はスイッチ６及びスイッチ７を介して閉路される構造となっている。これにより、上記バネ１２は、２次側ケーブル１４が２次側ケーブル取り付け部９ａ、９ｂに取り付けられていないときには、上記扉１０ａ、１０ｂを閉じ、変流器１の２次側回路を自動的に閉路する２次側回路開放防止手段を構成する。
【００１０】
２次側ケーブル１４が取り付けられていない状態では、バネ１２の力で扉１０ａは閉じており、扉１０ａに固定されている絶縁体１１がスイッチ４及びスイッチ５を閉じる。図２において、スイッチ４及びスイッチ５が閉じることで、変流器２次回路が閉路され、２次回路開放防止機能の役目を果たしている。
また、２次側外部端子３の２次側ケーブル取り付け部９ｂにも同様に扉１０ｂが設けられており、２次側ケーブル１４が取り付けられていない状態では、スイッチ６及びスイッチ７が閉じるために変流器２次回路が閉路され、２次回路開放防止機能の役目を果たしている。
そして、上記扉１０ａをバネ１２の力に抗して開き、２次側ケーブル取り付け部９ａを通して２次側ケーブル１４を２次側ケーブル固定ボルト８を使って固定すると、図５に示すように、扉１０ａが開くことでスイッチ４及びスイッチ５が開くことになり、変流器の２次側回路を自動的に開放することができる。
さらに、上記扉１０ｂをバネ１２の力に抗して開き、もう一つの２次側ケーブル取り付け部９ｂにも２次側ケーブル１４を取り付け固定することで、スイッチ６及びスイッチ７が開き、その結果変流器２次側に形成されていた閉回路が自動的に開放されることになる。
【図面の簡単な説明】
【００１１】
【図１】この発明の実施の形態１における変流器の構造を示す概略構成図である。
【図２】この発明の実施の形態１における変流器の内部回路を示す回路構成図である。
【図３】図１における２次側端子部を矢視Ａ方向から見た構成図である。
【図４】図１における２次側端子部を横断面にして矢視Ｂ方向より見た断面図である。
【図５】外部端子に２次ケーブルが取り付けられた状態を示す図４相当図である。
【符号の説明】
【００１２】
１  変流器
２次側外部端子
４〜７  スイッチ
８  ２次側ケーブル固定ボルト、
９ａ、９ｂ  ２次側ケーブル取り付け部
１０ａ、１０ｂ  扉
１１  絶縁体
１２  バネ
１３  回転支点
１４  ２次側ケーブル
【図１】
2008306783.tif 000003
【図２】
2008306783.tif 000004
【図３】
2008306783.tif 000005
【図４】
2008306783.tif 000006
【図５】
2008306783.tif 000007